【手続補正書】
【提出日】平成16年11月1日(2004.11.1)
【手続補正１】
【補正対象書類名】明細書
【補正対象項目名】特許請求の範囲
【補正方法】変更
【補正の内容】
【特許請求の範囲】
【請求項１】
画像形成の終了した記録紙に少なくとも１種類の別紙を組む別紙設定手段を備える画像形成装置と、前記画像形成装置を制御する画像制御装置とを有する画像形成システムにおいて、
前記画像制御装置は、前記別紙設定手段によって組まれる別紙の種類を検出する別紙検出手段と、
紙詰まりを検知して紙詰まりの発生情報を表示する紙詰まり表示手段と、
前記別紙検出手段によって検出された前記別紙の種類の数に基づいて前記表示手段による表示を変更する表示変更手段とを備えたことを特徴とする画像形成システム。
【請求項２】
前記表示変更手段は、前記別紙の種類が複数である場合に、前記別紙の状態の確認を指示する表示を追加することを特徴とする請求項１記載の画像形成システム。
【請求項３】
画像形成の終了した記録紙に少なくとも１種類の別紙を組む別紙設定手段を備える画像形成装置と、前記画像形成装置を制御する画像制御装置とを有する画像形成システムの前記画像制御装置により実行される画像形成システムの制御方法において、
前記別紙設定手段によって組まれる別紙の種類を検出する別紙検出ステップと、
紙詰まりを検知して紙詰まりの発生情報を表示する紙詰まり表示ステップと、
前記別紙検出ステップによって検出された前記別紙の種類の数に基づいて、前記表示ステップによる表示を変更する表示変更ステップとを備えたことを特徴とする画像形成システムの制御方法。
【請求項４】
前記表示変更ステップは、前記別紙の種類が複数である場合に、前記別紙の状態の確認を指示する表示を追加することを特徴とする請求項３記載の画像形成システムの制御方法。
【請求項５】
画像形成の終了した記録紙に少なくとも１種類の別紙を組む別紙設定手段を備える画像形成装置と、前記画像形成装置を制御する画像制御装置とを有する画像形成システムの前記画像制御装置により実行される画像形成システムの制御方法を実行するプログラムを記憶した読み出し可能な記憶媒体であって、前記プログラムは前記別紙設定手段によって組まれる別紙の種類を検出する別紙検出モジュールと、紙詰まりを検知して紙詰まりの発生情報を表示する紙詰まり表示モジュールと、前記別紙検出モジュールによって検出された前記別紙の種類の数に基づいて前記表示モジュールによる表示を変更する表示変更モジュールとを備えたことを特徴とする記憶媒体。
【請求項６】
画像形成の終了した記録紙に少なくとも１種類の別紙を組む別紙設定手段を備える画像形成装置において、
前記別紙設定手段によって組まれる別紙の種類を検出する別紙検出手段と、
紙詰まりを検知して紙詰まりの発生情報を表示する紙詰まり表示手段と、
前記別紙検出手段によって検出された前記別紙の種類の数に基づいて、前記表示手段による表示を変更する表示変更手段とを備えたことを特徴とする画像形成装置。
【請求項７】
前記表示変更手段は、前記別紙の種類が複数である場合に、前記別紙の状態の確認を指示する表示を追加することを特徴とする請求項６記載の画像形成装置。
【請求項８】
画像形成の終了した記録紙に少なくとも１種類の別紙を組む別紙設定手段を備える画像形成装置の制御方法において、
前記別紙設定手段によって組まれる別紙の種類を検出する別紙検出ステップと、
紙詰まりを検知して紙詰まりの発生情報を表示する紙詰まり表示ステップと、
前記別紙検出ステップによって検出された前記別紙の種類の数に基づいて前記表示ステップによる表示を変更する表示変更ステップとを備えたことを特徴とする画像形成装置の制御方法。
【請求項９】
前記表示変更ステップは、前記別紙の種類が複数である場合に、前記別紙の状態の確認を指示する表示を追加することを特徴とする請求項８記載の画像形成装置の制御方法。
【請求項１０】
画像形成の終了した記録紙に少なくとも１種類の別紙を組む別紙設定手段を備える画像形成装置の制御方法を実行するプログラムを記憶した読み出し可能な記憶媒体であって、前記プログラムは、前記別紙設定手段によって組まれる別紙の種類を検出する別紙検出モジュールと、前記紙詰まりを検知して紙詰まりの発生情報を表示する紙詰まり表示モジュールと、前記別紙検出モジュールによって検出された前記別紙の種類の数に基づいて前記表示モジュールによる表示を変更する表示変更モジュールとを備えたことを特徴とする記憶媒体。
【請求項１１】
入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムにおいて、
ジョブが中断された場合において、前記ジョブに対するリカバリー動作を制御する制御手段を有し、
前記制御手段は、中断されたジョブに対する前記リカバリー動作の実行可否を、前記中断されたジョブが前記インサータを使用するジョブであるか否かに基づいて決定することを特徴とする画像形成システム。
【請求項１２】
前記制御手段は、中断されたジョブが前記インサータを使用するジョブの場合は、前記ジョブに対するリカバリー動作を自動的に行うことを禁止し、中断されたジョブが前記インサータを使用しないジョブの場合は、前記ジョブに対するリカバリー動作を自動的に行うことを許可することを特徴とする請求項１１記載の画像形成システム。
【請求項１３】
前記制御手段は、中断されたジョブが前記インサータを使用するジョブの場合は、ユーザからの指示によりリカバリー動作を開始する第１モードを実行し、中断されたジョブが前記インサータを使用しないジョブの場合は、ユーザからの指示なしにリカバリー動作を開始する第２モードを実行することを特徴とする請求項１２記載の画像形成システム。
【請求項１４】
前記第１のモードでは、前記インサータの確認を促す為の通知をユーザに対して行い、前記第２モードでは、前記インサータの確認を促す為の通知をユーザに対して行うことなく、リカバリー動作を実行することを特徴とする請求項１３記載の画像形成システム。
【請求項１５】
前記制御手段は、中断されたジョブが前記インサータを使用するジョブの場合において、前記インサータからのシートの枚数が所定枚数未満のときは、前記ジョブに対するリカバリー動作を自動的に行うことを許可することを特徴とする請求項１２記載の画像形成システム。
【請求項１６】
前記制御手段は、中断されたジョブが前記インサータを使用するジョブの場合において、前記インサータからのシートの枚数が前記所定枚数以上のときは、前記ジョブに対するリカバリー動作を自動的に行うことを禁止することを特徴とする請求項１５記載の画像形成システム。
【請求項１７】
前記制御手段は、ユーザに対する通知を制御し、中断されたジョブが前記インサータを使用するジョブの場合は、前記インサータの確認を促す為の第１の通知を実行させ、中断されたジョブが前記インサータを使用しないジョブの場合は、前記第１の通知とは異なる第２の通知を実行させることを特徴とする請求項１１記載の画像形成システム。
【請求項１８】
前記制御手段は、前記画像形成装置におけるシートジャムの発生に応じて、前記ジョブを中断させることを特徴とする請求項１１記載の画像形成システム。
【請求項１９】
前記制御手段は、前記シート処理装置におけるシートジャムの発生に応じて、前記ジョブを中断させることを特徴とする請求項１１記載の画像形成システム。
【請求項２０】
前記画像形成装置は、原稿読取装置から入力されたジョブを処理することを特徴とする請求項１１記載の画像形成システム。
【請求項２１】
前記制御手段は、原稿読取装置におけるシートジャムの発生に応じて、前記ジョブを中断させることを特徴とする請求項１２記載の画像形成システム。
【請求項２２】
前記画像形成装置は、外部装置から入力されたジョブを処理することを特徴とする請求項１１記載の画像形成システム。
【請求項２３】
入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムの制御方法において、
ジョブが中断された場合において、前記ジョブに対するリカバリー動作を制御する制御ステップを有し、
前記制御ステップでは、中断されたジョブに対する前記リカバリー動作の実行可否を、前記中断されたジョブが前記インサータを使用するジョブであるか否かに基づいて決定することを特徴とする画像形成システムの制御方法。
【請求項２４】
入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムに以下のステップを実行させる為のプログラムを記憶したことを特徴とするコンピュータ読取可能な記憶媒体であって、ジョブが中断された場合において、前記ジョブに対するリカバリー動作を制御する制御ステップを有し、
前記制御ステップでは、中断されたジョブに対する前記リカバリー動作の実行可否を、前記中断されたジョブが前記インサータを使用するジョブであるか否かに基づいて決定することを特徴とする記憶媒体。
【請求項２５】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、
中断されたジョブのリカバリー動作を制御する制御手段と、を有し、
前記制御手段は、
中断対象のジョブが前記インサータを使用しないジョブの場合に、該ジョブ中断後に操作部を介してユーザからの指示を受付ける事無く、自動的に該ジョブのリカバリー動作を実行することを許可し、
一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする画像形成システム。
【請求項２６】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、
印刷動作が中断されたジョブのリカバリー動作を制御する制御手段と、を有し、
前記制御手段は、
中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、
一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする画像形成システム。
【請求項２７】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、
中断されたジョブのリカバリー動作を実行するにあたり、中断対象のジョブが前記インサータを使用しないジョブの場合に、該ジョブ中断後に操作部を介してユーザからの指示を受付ける事無く、自動的に該ジョブのリカバリー動作を実行することを許可し、
一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする画像形成システムの制御方法。
【請求項２８】
複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、
印刷動作が中断されたジョブのリカバリー動作を実行するにあたり、中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、
一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする画像形成システムの制御方法。
【請求項２９】
中断対象のジョブが前記インサータを使用するジョブであっても、中断対象のジョブが前記インサータから１枚のシートをインサートするジョブの場合に、前記操作部を介してユーザからの指示を受付ける事無く自動的に該ジョブのリカバリー動作を実行すること許可し、中断対象のジョブが前記インサータから複数枚のシートをインサートするジョブの場合に、前記操作部を介してユーザからの指示を受付ける事無く自動的に該ジョブのリカバリー動作を実行すること禁止することを特徴とする請求項２７又は２８記載の画像形成システムの制御方法。
【請求項３０】
前記画像形成手段は、スキャナからの画像データ及びコンピュータからの画像データのうちの少なくともいずれかの画像データを複数記憶可能な前記記憶手段の画像データのプリントを実行可能にすることを特徴とする請求項２７乃至２９のいずれか１項に記載の画像形成システムの制御方法。
【請求項３１】
前記画像形成手段は、前記画像形成装置が具備するスキャナからのジョブのデータをプリント可能であり、
中断対象のジョブが前記スキャナからのジョブの場合に、前記画像形成装置の操作部を介してユーザからの指示を受付けたうえで、該ジョブのリカバリー動作を実行させることを特徴とする請求項２７乃至３０のいずれか１項に記載の画像形成システムの制御方法。
【請求項３２】
前記画像形成手段は、コンピュータからのジョブのデータをプリント可能であり、
中断対象のジョブが前記コンピュータからのジョブの場合に、該コンピュータの操作部を介してユーザからの指示を受付けたうえで、該ジョブのリカバリー動作を実行させることを特徴とする請求項２７乃至３１のいずれか１項に記載の画像形成システムの制御方法。
【請求項３３】
前記インサータを使用するジョブとして、前記画像形成されたシートに対して表紙及び合紙及び裏表紙のうちの少なくともいずれかのシートを前記インサータからインサートする為の設定を前記操作部を介してユーザにより実行可能にすることを特徴とする請求項２７乃至３２のいずれか１項に記載の画像形成システムの制御方法。
【請求項３４】
前記画像形成手段により像形成されるシートのジャム、および、前記画像形成装置が具備するスキャナの原稿フィーダにおける原稿ジャム、及び、前記シート処理装置が具備するステイプルユニットによるステイプルジャム、のうちの、少なくともいずれかの中断要因が発生した場合に、前記ジョブを中断させることを特徴とする請求項２７乃至３３のいずれか１項に記載の画像形成システムの制御方法。
【請求項３５】
前記中断対象のジョブが前記インサータを使用するジョブの場合に、該ジョブのリカバリー動作を実行させるか該ジョブの処理を中止するかをユーザにより選択可能にする為の表示を、該ジョブの中断要因解除後に、前記操作部に表示させ、前記表示を介してユーザからリカバリー動作の実行指示が入力された場合に、前記ジョブのリカバリー動作を実行させ、
一方、前記中断対象のジョブが前記インサータを使用するジョブの場合に、該ジョブの中断要因解除後に前記表示を前記操作部に実行させることなく、自動的に該ジョブのリカバリー動作を実行可能にする、ことを特徴とする請求項２７乃至３４のいずれか１項に記載の画像形成システムの制御方法。
【請求項３６】
請求項２７乃至３５のいずれか１項に記載の制御方法を実行する為のプログラムを記憶したことを特徴とするコンピュータ読取可能な記憶媒体。
【手続補正２】
【補正対象書類名】明細書
【補正対象項目名】００２８
【補正方法】変更
【補正の内容】
【００２８】
上記目的を達成するために、請求項２４記載の記憶媒体は、入力されたジョブに基づいてシート上に画像を形成する画像形成手段を有し、前記画像形成手段からのシートとは異なるシートを前記画像形成手段からのシート対してインサートする為のインサータを有するシート処理装置に接続可能な、画像形成装置を含む、画像形成システムに以下のステップを実行させる為のプログラムを記憶したことを特徴とするコンピュータ読取可能な記憶媒体であって、ジョブが中断された場合において、前記ジョブに対するリカバリー動作を制御する制御ステップを有し、前記制御ステップでは、中断されたジョブに対する前記リカバリー動作の実行可否を、前記中断されたジョブが前記インサータを使用するジョブであるか否かに基づいて決定することを特徴とする。
上記目的を達成するために、請求項２５記載の画像形成システムは、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、中断されたジョブのリカバリー動作を制御する制御手段と、を有し、前記制御手段は、中断対象のジョブが前記インサータを使用しないジョブの場合に、該ジョブ中断後に操作部を介してユーザからの指示を受付ける事無く、自動的に該ジョブのリカバリー動作を実行することを許可し、一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする。
上記目的を達成するために、請求項２６記載の画像形成システムは、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムであって、印刷動作が中断されたジョブのリカバリー動作を制御する制御手段と、を有し、前記制御手段は、中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする。
上記目的を達成するために、請求項２７記載の画像形成システムの制御方法は、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、中断されたジョブのリカバリー動作を実行するにあたり、中断対象のジョブが前記インサータを使用しないジョブの場合に、該ジョブ中断後に操作部を介してユーザからの指示を受付ける事無く、自動的に該ジョブのリカバリー動作を実行することを許可し、一方、中断対象のジョブが前記インサータを使用するジョブの場合に、該ジョブ中断後に前記操作部を介してユーザからの指示を受ける事無く自動的に該ジョブのリカバリー動作を実行することを禁止し、該ジョブ中断後に前記操作部を介してユーザからの指示を受付けた上で該ジョブのリカバリー動作を実行可能にする、ことを特徴とする。
上記目的を達成するために、請求項２８記載の画像形成システムの制御方法は、複数のジョブのデータを記憶可能な記憶手段のジョブのデータに基づいた画像をシート上に形成可能な画像形成手段を有する画像形成装置と、前記画像形成手段からのシートとは異なるシートを前記画像形成手段からのシートに対してインサートするインサータを有するシート処理装置と、を有する、画像形成システムの制御方法であって、印刷動作が中断されたジョブのリカバリー動作を実行するにあたり、中断対象のジョブが前記インサータを使用しないジョブの場合に、該ジョブの印刷動作の中断要因が解除後に操作部を介してユーザからの指示を受付ける事無く、自動的に該ジョブのリカバリー動作を実行することを許可し、一方、中断対象のジョブが前記インサータを使用するジョブの場合に、該ジョブの印刷動作の中断要因が解除後に前記操作部を介してユーザからの指示を受付ける事無く自動的に該ジョブのリカバリー動作を実行することを禁止し、該ジョブの印刷動作の中断要因が解除後に前記操作部を介してユーザからの指示を受付けた上で該ジョブのリカバリー動作を実行可能にする、ことを特徴とする。
請求項２９記載の画像形成システムの制御方法は、請求項２７又は２８記載の画像形成システムの制御方法において、中断対象のジョブが前記インサータを使用するジョブであっても、中断対象のジョブが前記インサータから１枚のシートをインサートするジョブの場合に、前記操作部を介してユーザからの指示を受付ける事無く自動的に該ジョブのリカバリー動作を実行すること許可し、中断対象のジョブが前記インサータから複数枚のシートをインサートするジョブの場合に、前記操作部を介してユーザからの指示を受付ける事無く自動的に該ジョブのリカバリー動作を実行すること禁止することを特徴とする。
請求項３０記載の画像形成システムの制御方法は、請求項２７乃至２９のいずれか１項に記載の画像形成システムの制御方法において、前記画像形成手段は、スキャナからの画像データ及びコンピュータからの画像データのうちの少なくともいずれかの画像データを複数記憶可能な前記記憶手段の画像データのプリントを実行可能にすることを特徴とする。
請求項３１記載の画像形成システムの制御方法は、請求項２７乃至３０のいずれか１項に記載の画像形成システムの制御方法において、前記画像形成手段は、前記画像形成装置が具備するスキャナからのジョブのデータをプリント可能であり、中断対象のジョブが前記スキャナからのジョブの場合に、前記画像形成装置の操作部を介してユーザからの指示を受付けたうえで、該ジョブのリカバリー動作を実行させることを特徴とする。
請求項３２記載の画像形成システムの制御方法は、請求項２７乃至３１のいずれか１項に記載の画像形成システムの制御方法において、前記画像形成手段は、コンピュータからのジョブのデータをプリント可能であり、中断対象のジョブが前記コンピュータからのジョブの場合に、該コンピュータの操作部を介してユーザからの指示を受付けたうえで、該ジョブのリカバリー動作を実行させることを特徴とする。
請求項３３記載の画像形成システムの制御方法は、請求項２７乃至３２のいずれか１項に記載の画像形成システムの制御方法において、前記インサータを使用するジョブとして、前記画像形成されたシートに対して表紙及び合紙及び裏表紙のうちの少なくともいずれかのシートを前記インサータからインサートする為の設定を前記操作部を介してユーザにより実行可能にすることを特徴とする。
請求項３４記載の画像形成システムの制御方法は、請求項２７乃至３３のいずれか１項に記載の画像形成システムの制御方法において、前記画像形成手段により像形成されるシートのジャム、および、前記画像形成装置が具備するスキャナの原稿フィーダにおける原稿ジャム、及び、前記シート処理装置が具備するステイプルユニットによるステイプルジャム、のうちの、少なくともいずれかの中断要因が発生した場合に、前記ジョブを中断させることを特徴とする。
請求項３５記載の画像形成システムの制御方法は、請求項２７乃至３４のいずれか１項に記載の画像形成システムの制御方法において、前記中断対象のジョブが前記インサータを使用するジョブの場合に、該ジョブのリカバリー動作を実行させるか該ジョブの処理を中止するかをユーザにより選択可能にする為の表示を、該ジョブの中断要因解除後に、前記操作部に表示させ、前記表示を介してユーザからリカバリー動作の実行指示が入力された場合に、前記ジョブのリカバリー動作を実行させ、一方、前記中断対象のジョブが前記インサータを使用するジョブの場合に、該ジョブの中断要因解除後に前記表示を前記操作部に実行させることなく、自動的に該ジョブのリカバリー動作を実行可能にする、ことを特徴とする。
上記目的を達成するために、請求項３６記載の記憶媒体は、請求項２７乃至３５のいずれか１項に記載の制御方法を実行する為のプログラムを記憶したことを特徴とする。
【手続補正３】
【補正対象書類名】明細書
【補正対象項目名】０１２１
【補正方法】変更
【補正の内容】
【０１２１】
また、請求項１１記載の画像形成システム、請求項２３記載の画像形成システムの制御方法、請求項２４記載の記憶媒体によれば、インサータを使用可能な画像形成システムにおいて、中断されたジョブに対するリカバリー動作の実行可否を、中断されたジョブがインサータを使用するジョブであるか否かに基づいて決定するので、中断されたジョブを適正に処理できるようになる。
又、請求項２５、２６記載の画像形成システム、請求項２７、２８記載の画像形成システムの制御方法、請求項３６記載の記憶媒体も同様に、中断されたジョブが、インサータを使用するジョブでも、インサータを使用しないジョブでも、適正に処理できるようになる。